(57)【特許請求の範囲】
【請求項１】
二つ折りにする折り畳み予定線を挟んで配置された第１及び第２の封筒部を有する封筒基材と、
前記第１又は第２の封筒部の上側に配置され、裏面に複写層を有する複写基材と、
前記複写基材と前記封筒基材の間に配置され、前記複写基材で複写された情報を表示する複写情報表示票と、
前記第１又は第２の封筒部の外縁部に形成された接着層と、
前記接着層に剥離可能な剥離基材と
を備える封筒用帳票であって、
前記複写基材を取り除き、前記剥離基材を剥離することにより、前記接着層を露出させて、前記折り畳み予定線で折り畳んで封筒を作製する
ことを特徴とする封筒用帳票。
【請求項２】
二つ折りにする折り畳み予定線を挟んで配置された第１及び第２の封筒部を有する封筒基材と、
前記第１又は第２の封筒部の上側に配置され、裏面に複写層を有する複写基材と、
前記第１又は第２の封筒部の外縁部に形成された接着層と、
前記接着層に剥離可能な剥離基材と
を備える封筒用帳票であって、
前記複写基材を取り除き、前記剥離基材を剥離することにより、前記接着層を露出させて、前記折り畳み予定線で折り畳んで封筒を作製する
ことを特徴とする封筒用帳票。
【請求項３】
二つ折りにする折り畳み予定線を挟んで配置された第１及び第２の封筒部を有する封筒基材と、
前記第１又は第２の封筒部の上側に配置され、裏面に複写層を有する複写基材と、
前記複写基材と前記封筒基材の間に配置され、前記複写基材で複写された情報を表示する複写情報表示票と、
前記第１又は第２の封筒部の外縁部に形成された接着層と、
前記複写基材に連接され、前記接着層に剥離可能な剥離基材と
を備える封筒用帳票であって、
前記複写基材を取り除く動作によって、前記剥離基材を剥離することにより、前記接着層を露出させて、前記折り畳み予定線で折り畳んで封筒を作製する
ことを特徴とする封筒用帳票。
【請求項４】
二つ折りにする折り畳み予定線を挟んで配置された第１及び第２の封筒部を有する封筒基材と、
前記第１又は第２の封筒部の上側に配置され、裏面に複写層を有する複写基材と、
前記第１又は第２の封筒部の外縁部に形成された接着層と、
前記複写基材に連接され、前記接着層に剥離可能な剥離基材と
を備える封筒用帳票であって、
前記複写基材を取り除く動作によって、前記剥離基材を剥離することにより、前記接着層を露出させて、前記折り畳み予定線で折り畳んで封筒を作製する
ことを特徴とする封筒用帳票。
【請求項５】
請求項１から請求項４までのいずれか１項に記載の封筒用帳票において、
前記複写基材の上側に配置され、情報が書き込まれる記入票をさらに備える
ことを特徴とする封筒用帳票。
【請求項６】
請求項５に記載の封筒用帳票において、
前記記入票と前記複写基材の間に配置され、その記入票に書き込まれた情報を複写する少なくとも一枚の複写票をさらに備える
ことを特徴とする封筒用帳票。
【請求項７】
請求項６に記載の封筒用帳票において、
前記複写票と前記複写基材の間に配置され、その複写票が複写する情報を表示する少なくとも一枚の複写控え票をさらに備える
ことを特徴とする封筒用帳票。
【請求項８】
請求項１から請求項７までのいずれか１項に記載の封筒用帳票において、
前記封筒基材は、その表面に複写された情報を表示する複写情報表示欄を有する
ことを特徴とする封筒用帳票。
【請求項９】
請求項１から請求項８までのいずれか１項に記載の封筒用帳票において、
前記複写基材は、その表面に複写する情報が書き込まれる複写基材情報書込欄を有する
ことを特徴とする封筒用帳票。
【請求項１０】
請求項５から請求項９までのいずれか１項に記載の封筒用帳票において、
前記記入票は、書き込まれた情報を複写する複写用紙で作製されている
ことを特徴とする封筒用帳票。
【請求項１１】
請求項６から請求項１０までのいずれか１項に記載の封筒用帳票において、
前記複写票は、その表面に、複写する情報の控えを表示する複写票情報控え欄を有する
ことを特徴とする封筒用帳票。
【請求項１２】
請求項６から請求項１１までのいずれか１項に記載の封筒用帳票において、
前記複写票は、前記複写基材及び／又は前記剥離基材に貼付されている
ことを特徴とする封筒用帳票。
【発明の詳細な説明】
【０００１】
【発明の属する技術分野】
本発明は、郵送することで手続きを行う申込書、例えば、金融機関の新規口座開設申込書、百貨店等のギフト申込書、信販等のカード申込書、会員組織入会申込書、個品割賦申込書等に好適に使用される封筒用帳票に関するものである。
【０００２】
【従来の技術】
従来、この種の封筒用帳票は、例えば、複数枚の申込用紙と封筒形成用紙とを一体化した申込書が知られている（特開平９−２２６２７４公報）。この申込書を使用して、各申込用紙に同一事項を記入するときは、各申込用紙にカーボン式あるいはノンカーボン式の複写構造を設けて、複写記入可能に構成することが提案されている。
【０００３】
【発明が解決しようとする課題】
しかし、前述した従来の申込書は、各申込用紙に同一事項を記入するときに、各申込用紙にカーボン式等の複写構造を設けるので、返送時に、外部から強い圧力が加わると、これらのカーボン等が発色してしまっていた。そのため、各申込用紙に汚れが付着してしまい、申込書の受取人が、開封して、申込内容を確認しようとしても、確認できないという可能性があった。この対策として、各申込用紙のカーボンの複写力（発色力）落とすと、申込者が記入するときの複写力も落ちてしまうという新たな問題が起きてしまう。
【０００４】
本発明の課題は、容易に複写することができて、かつ、外部から強い圧力が加えられても、封入している用紙を汚す恐れがないため、申込書等に好適に使用することができる封筒用帳票を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、二つ折りにする折り畳み予定線を挟んで配置された第１及び第２の封筒部を有する封筒基材（５７）と、前記第１又は第２の封筒部の上側に配置され、裏面に複写層（５４ａ）を有する複写基材（５４）と、複写基材（５４）と封筒基材（５７）の間に配置され、複写基材（５４）で複写された情報を表示する複写情報表示票（５６）と、前記第１又は第２の封筒部の外縁部に形成された接着層（５７ｄ）と、接着層（５７ｄ）に剥離可能な剥離基材（５５）とを備える封筒用帳票であって、複写基材（５４）を取り除き、剥離基材（５５）を剥離することにより、接着層（５７ｄ）を露出させて、前記折り畳み予定線で折り畳んで封筒を作製することを特徴とする封筒用帳票である。
【０００６】
請求項２の発明は、二つ折りにする折り畳み予定線を挟んで配置された第１及び第２の封筒部を有する封筒基材（５７）と、前記第１又は第２の封筒部の上側に配置され、裏面に複写層（５４ａ）を有する複写基材（５４）と、前記第１又は第２の封筒部の外縁部に形成された接着層（５７ｄ）と、接着層（５７ｄ）に剥離可能な剥離基材（５５）とを備える封筒用帳票であって、複写基材（５４）を取り除き、剥離基材（５５）を剥離することにより、接着層（５７ｄ）を露出させて、前記折り畳み予定線で折り畳んで封筒を作製することを特徴とする封筒用帳票である。
【０００７】
請求項３の発明は、二つ折りにする折り畳み予定線を挟んで配置された第１及び第２の封筒部を有する封筒基材（１７、３７）と、前記第１又は第２の封筒部の上側に配置され、裏面に複写層（１４ａ、３４ａ）を有する複写基材（１４、３４）と、複写基材（１４、３４）と封筒基材（１７、３７）の間に配置され、複写基材（１４、３４）で複写された情報を表示する複写情報表示票（１６、３６）と、前記第１又は第２の封筒部の外縁部に形成された接着層（１７ｄ、３７ｄ）と、複写基材（１４、３４）に連接され、接着層（１７ｄ、３７ｄ）に剥離可能な剥離基材（１５、３５）とを備える封筒用帳票であって、複写基材（１４、３４）を取り除く動作によって、剥離基材（１５、３５）を剥離することにより、接着層（１７ｄ、３７ｄ）を露出させて、前記折り畳み予定線で折り畳んで封筒を作製することを特徴とする封筒用帳票である。
【０００８】
請求項４の発明は、二つ折りにする折り畳み予定線を挟んで配置された第１及び第２の封筒部を有する封筒基材（１７、３７、４７）と、前記第１又は第２の封筒部の上側に配置され、裏面に複写層（１４ａ、３４ａ、４４ａ）を有する複写基材（１４、３４、４４）と、前記第１又は第２の封筒部の外縁部に形成された接着層（１７ｄ、３７ｄ、４７ｄ）と、複写基材（１４、３４、４４）に連接され、接着層（１７ｄ、３７ｄ、４７ｄ）に剥離可能な剥離基材（１５、３５、４５）とを備える封筒用帳票であって、複写基材（１４、３４、４４）を取り除く動作によって、剥離基材（１５、３５、４５）を剥離することにより、接着層（１７ｄ、３７ｄ、４７ｄ）を露出させて、前記折り畳み予定線で折り畳んで封筒を作製することを特徴とする封筒用帳票である。
【０００９】
請求項５の発明は、請求項１から請求項４までのいずれか１項に記載の封筒用帳票において、複写基材（１４、３４、４４）の上側に配置され、情報が書き込まれる記入票（１１、３１、５１）をさらに備えることを特徴とする封筒用帳票である。
【００１０】
請求項６の発明は、請求項５に記載の封筒用帳票において、記入票（１１、３１、５１）と複写基材（１４、３４、５４）の間に配置され、その記入票（１１、３１、５１）に書き込まれた情報を複写する少なくとも一枚の複写票（１２、３２、３２−２、５２）をさらに備えることを特徴とする封筒用帳票である。
【００１１】
請求項７の発明は、請求項６に記載の封筒用帳票において、複写票（１２、３２、３２−２、５２）と複写基材（１４、３４、５４）の間に配置され、その複写票（１２、３２、３２−２、５２）が複写する情報を表示する少なくとも一枚の複写控え票（１３、３３、３３−２、５３）をさらに備えることを特徴とする封筒用帳票である。
【００１２】
請求項８の発明は、請求項１から請求項７までのいずれか１項に記載の封筒用帳票において、封筒基材（４７）は、その表面に複写された情報を表示する複写情報表示欄（４７ｅ）を有することを特徴とする封筒用帳票である。
【００１３】
請求項９の発明は、請求項１から請求項８までのいずれか１項に記載の封筒用帳票において、複写基材（４４）は、その表面に複写する情報が書き込まれる複写基材情報書込欄（４４ｂ）を有することを特徴とする封筒用帳票である。
【００１４】
請求項１０の発明は、請求項５から請求項９までのいずれか１項に記載の封筒用帳票において、記入票（１１、３１、５１）は、書き込まれた情報を複写する複写用紙で作製されていることを特徴とする封筒用帳票である。
【００１５】
請求項１１の発明は、請求項６から請求項１０までのいずれか１項に記載の封筒用帳票において、複写票（１２）は、その表面に、複写する情報の控えを表示する複写票情報控え欄（１２ｂ）を有していることを特徴とする封筒用帳票である。
【００１６】
請求項１２の発明は、請求項６から請求項１１までのいずれか１項に記載の封筒用帳票において、複写票（３２、３２−２）は、複写基材（３４）及び／又は剥離基材（３５）に貼付されていることを特徴とする封筒用帳票である。
【００１７】
【発明の実施の形態】
以下、図面等を参照して、本発明の実施の形態について、さらに詳しく説明する。
（第１実施形態）
図１は、本発明による封筒用帳票の第１実施形態の各用紙を示す図であり、図２は、本発明による封筒用帳票の第１実施形態の断面図である。
封筒用帳票１０は、記入票１１と、複写票１２と、複写控え票１３と、複写基材１４と、剥離基材１５と、複写情報表示票１６と、封筒基材１７とを有している。
【００１８】
記入票１１は、封筒用帳票１０の最上部に配置されている用紙であり、その大きさは、後述の第１封筒部１７ａと比べて、一回り小さい（図１参照；Ｌ１＜Ｌ、Ｗ１＜Ｗ）。記入票１１の表面には、情報記入欄１１ｂを備えている。また、本実施形態では、記入票１１は、裏面にカーボンインキ層１１ａを有していて、申込者が、ボールペン等で、情報記入欄１１ｂに必要事項を記入すると、その記入内容が、下の複写票１２に複写される。
【００１９】
複写票１２は、記入票１１の下側に配置されている用紙であり、その一辺（図１（Ｂ）中、左辺）は、記入票１１を接着して、保持している。複写票１２の大きさは、記入票１１とほぼ同じである。複写票１２は、記入票１１に書き込まれた情報を複写控え票１３に複写する。複写票１２は、表面に、複写する情報の控えを表示する複写票情報控え欄１２ｂを備えている。
本実施形態では、複写票１２も、記入票１１と同様に、裏面にカーボンインキ層１２ａを有していて、申込者が、ボールペン等を使用して、記入票１１に記入した内容は、複写票情報控え欄１２ｂに複写されるとともに、複写控え票１３に複写される。
【００２０】
複写控え票１３は、複写票１２の下側に配置されている用紙であり、その一辺（図１（Ｃ）中、左辺）は、複写票１２を接着して、保持している。複写控え票１３の大きさも、記入票１１とほぼ同じである。複写控え票１３は、複写票１２が複写する情報を表示する。
【００２１】
複写基材１４は、複写控え票１３の下側に配置されている用紙であり、その一辺（図１（Ｄ）中、右辺）は、剥離基材１５に連接されている。複写基材１４の大きさは、左右方向は、記入票１１等よりも小さいが（Ｗ２＜Ｗ１）、天地方向は、記入票１１等よりも大きく後述の第１封筒部１７ａとほぼ同じである（Ｌ＞Ｌ１）。複写基材１４は、裏面に、カーボンインキが塗工されて、複写層１４ａが形成されている。複写基材１４は、複写控え票１３に複写された情報を下の複写情報表示票１６に複写する。
【００２２】
剥離基材１５は、複写基材１４に連接されている用紙であり、その大きさは、第１封筒部１７ａとほぼ同じである。剥離基材１５は、裏面の外縁部に、剥離層１５ａが形成されている。この剥離層１５ａは、例えば、シリコーン等を塗工して形成することができる。剥離基材１５は、この剥離層１５ａで、封筒基材１７に接着されている。
なお、剥離基材１５は、表面に、封筒用帳票１０の使用方法（封筒の組立方法など）を記載していてもよい。そのようにすると、申込者が、封筒作製手順を理解しやすくなる。
【００２３】
複写情報表示票１６は、複写基材１４の下側に配置されている用紙であり、その一辺（図１（Ｅ）中、左辺）は、複写控え票１３を接着して、保持している。複写情報表示票１６の大きさも、記入票１１とほぼ同じである。複写情報表示票１６は、その表面に、複写基材１４から複写された情報を表示する。
【００２４】
また、本実施形態では、複写情報表示票１６は、封筒用帳票１０の受取人の保管用紙として使用される。そのため、複写情報表示票１６は、長期保管可能な用紙を使用することが望ましく、そのためには、丈夫な、厚めの用紙を使用するとよい。
なお、このような厚めの用紙に複写するためには、複写基材１４は、裏面に、本実施形態のようにカーボンインキを使用すると複写しやすく好適である。
【００２５】
封筒基材１７は、複写情報表示票１６の下側に配置されている用紙であり、封筒用帳票１０が組み立てられて封筒が完成した後は、封筒となる用紙である。封筒基材１７は、裏面に、封筒の受取人の住所等が印刷されている。封筒基材１７は、二つ折りにする折り畳み予定線１７ｃを挟んで配置された第１封筒部１７ａと、第２封筒部１７ｂを有している。
【００２６】
第１封筒部１７ａは、複写情報表示票１６の下側に位置する用紙部であり、その大きさは、記入票１１等よりも一回り大きい（Ｌ＞Ｌ１、Ｗ＞Ｗ１）。第１封筒部１７ａは、その一辺（図１（Ｆ）中、左辺）で、複写情報表示票１６を接着して、保持している。
【００２７】
第２封筒部１７ｂは、折り畳み予定線１７ｃを挟んで第１封筒部１７ａに連接されている用紙部であり、その大きさは、第１封筒部１７ａとほぼである。第２封筒部１７ｂは、外縁部に、接着層１７ｄを備えている。この接着層１７ｄは、剥離基材１５を接着して、保持している。また、この接着層１７ｄは、この封筒用帳票１０が組み立てられて封筒が完成した後は、第１封筒部１７ａと第２封筒部１７ｂを接着する。
【００２８】
（使用方法）
図３は、本発明による封筒用帳票の第１実施形態の使用方法を示している図である。
封筒用帳票１０は、以下のように使用する。
（１）申込者は、ボールペン等を使用して、記入票１１の情報記入欄１１ｂに必要事項を記入する。
その記入された情報は、複写票１２と、複写控え票１３と、複写情報表示票１６とに複写される。
（２）（１）で必要事項を記入した申込者は、剥離基材１５の表面に記載されている封筒用帳票１０の使用方法（封筒の組立方法など）を確認する。
（３）（２）で封筒用帳票１０の組立方法を確認した申込者は、複写基材１４を取り除くとともに、複写基材１４に連接されている剥離基材１５を剥離して、接着層１７ｄを露出させる（図３（Ａ））。
（４）（３）で接着層１７ｄを露出させた申込者は、封筒基材１７を折り畳み予定線１７ｃで二つ折りして、接着層１７ｄを接着し、封筒２０を完成する。
このとき、記入票１１と、複写票１２と、複写控え票１３と、複写情報表示票１６は、封筒２０の内部に封入されている（図３（Ｂ））。
（５）（４）で封筒２０を完成した申込者は、封筒２０を投函する。
（６）封筒２０を受け取った受取人は、封筒２０を開封し、記入票１１と、複写票１２と、複写控え票１３と、複写情報表示票１６とをそれぞれ必要な事務処理に使用し、最終的には、複写情報表示票１６を保管する。
【００２９】
本実施形態によれば、複写情報表示票１６の上に配置されている複写基材１４は、封筒２０組立時に、取り除かれているので、封筒２０の郵送途中、例えば、郵便物区分機などで、強い圧力が加えられても、複写情報表示票１６は、汚れることがない。
また、封筒２０は、複写基材１４が取り除かれなければ、完成しないので、複写基材１４は、封筒組立時に、確実に取り除かれる。
さらに、複写基材１４を取り除くと、剥離基材１５も一緒に剥がされるので、簡単に剥離基材１５を剥離できる。すなわち、複写基材１４は、接着されていないので、容易に取り除くことができ、その複写基材１４を引っ張るだけで、剥離基材１５も剥がせるので、剥離基材１５を剥離するために爪を立てたりする必要がない。
さらにまた、剥離基材１５を剥離した後に、封筒基材１７を二つ折りするだけで、封筒２０が完成するので、封筒作製が簡単である。
【００３０】
（第２実施形態）
図４は、本発明による封筒用帳票の第２実施形態の断面図である。
なお、以下に示す実施形態では、前述した第１実施形態と同様の機能を果たす部分には、末尾が同一の符号を付して、重複する説明を適宜省略する。
封筒用帳票３０は、記入票３１と、複写票３２と、複写控え票３３と、複写票３２−２と、複写控え票３３−２と、複写基材３４及び剥離基材３５と、複写情報表示票３６と、封筒基材３７を、この順に配置して、有している。封筒用帳票３０は、複写票及び複写控え票を複数備えている点で、封筒用帳票１０と相違する。
【００３１】
記入票３１と、複写控え票３３、３３−２と、複写情報表示票３６と、封筒基材３７は、一方の辺で接着されている（図４中、左）。
一方、複写票３２、３２−２は、複写基材３４に、貼付されており、複写基材３４は、剥離基材３５に連接されている。剥離基材３５は、裏面に形成されている剥離層３５ａで、封筒基材３７に剥離可能に接着されている。
【００３２】
また、記入票３１と、複写控え票３３、３３−２と、複写情報表示票３６は、裏カーボン層等の複写層を有していない。
【００３３】
本実施形態によれば、複写票３２、３２−２は、複写基材３４に、貼付されているので、複写票３２、３２−２は、複写基材３４を取り除く動作によって、同時に、取り除くことができる。
また、各用紙には、裏カーボン層等の複写層を備えず、かつ、複写票３２、３２−２は、封筒組立時に、複写基材３４を取り除く動作によって、同時に、取り除かれるので、封筒の郵送途中、例えば、郵便物区分機などで、強い圧力が加えられても、各用紙は、汚れることがない。
【００３４】
（第３実施形態）
図５は、本発明による封筒用帳票の第３実施形態の各用紙を示す図である。
封筒用帳票４０は、複写基材４４及び剥離基材４５と、封筒基材４７とを有している。封筒用帳票４０は、記入票と、複写票と、複写控え票と、複写情報表示票とを備えない点で、封筒用帳票１０と相違する。
【００３５】
複写基材４４は、表面に、複写基材情報書込欄４４ｂを備え、裏面に、カーボンインキが塗工されて、複写層４４ａが形成されている。（図５（Ａ））
封筒基材４７は、第１封筒部４７ａの表面に、複写情報表示欄４７ｅを備えている。（図５（Ｂ））
【００３６】
本実施形態によれば、複写基材４４は、複写基材情報書込欄４４ｂを備えているので、封筒用帳票４０の使用者は、複写基材４４に直接必要事項を書き込むことができる。
また、封筒用帳票４０は、複写基材４４の下面に封筒基材４７を備えているので、複写基材４４に直接書き込まれた事項は、封筒基材４７に複写される。
さらに、封筒用帳票４０は、封筒用帳票１０とは異なって、記入票、複写情報表示票等を有さないので、安価に製造可能である。
【００３７】
（第４実施形態）
図６は、本発明による封筒用帳票の第４実施形態を示す断面図である。
封筒用帳票５０は、記入票５１と、複写票５２と、複写控え票５３と、複写基材５４と、剥離基材５５と、複写情報表示票５６と、封筒基材５７とを有している。
剥離基材５５は、複写基材５４に連接されておらず、分離している。この点において、封筒用帳票５０は、封筒用帳票１０と相違する。
【００３８】
封筒用帳票５０の使用者は、必要事項を記入後、複写基材５４を抜き取ってから、剥離基材５５を剥離して、接着層５７ｄを露出させて、封筒基材５７を折り畳んで封筒を作製する。
【００３９】
本実施形態によれば、複写基材５４を抜き取ってから、封筒を作製するので、その封筒の郵送途中、例えば、郵便物区分機などで、強い圧力が加えられても、複写情報表示票５６は、汚れることがない。
【００４０】
（変形形態）
以上説明した実施形態に限定されることなく、種々の変形や変更が可能であって、それらも本発明の均等の範囲内である。
例えば、複写票、複写控え票は、必要に応じて枚数を増減すればよい。
また、記入票等の用紙の複写には、カーボン式のみならずノンカーボン式を用いても同様の効果が得られる。
さらに、第２実施形態において、複写票は、剥離基材に貼付されていても同様の効果が得られる。
【００４１】
【発明の効果】
以上詳しく説明したように、請求項１の発明によれば、封筒作製時に、複写基材が取り除かれるので、封筒の郵送途中に、郵便物区分機などで、強い圧力が加えられても、複写情報表示票は、汚れることがない。
また、剥離基材を剥離した後に、封筒基材を二つ折りするだけで、封筒を作製することができる。
【００４２】
請求項２の発明によれば、複写基材は、封筒部に情報を複写した後、取り除かれるので、封筒の郵送途中に、郵便物区分機などで、強い圧力が加えられても、封筒部が、汚れることがない。
【００４３】
請求項３の発明によれば、複写基材は、剥離基材に連接されているので、複写情報表示票に情報を複写した後、確実に取り除かれる。
また、剥離基材の剥離も簡単にでき、爪を立てたりする必要がない。
【００４４】
請求項４の発明によれば、複写基材は、剥離基材に連接されているので、封筒部に情報を複写した後、確実に取り除かれる。
また、剥離基材の剥離も簡単にでき、爪を立てたりする必要がない。
【００４５】
請求項５の発明によれば、記入票を備えるので、記入票を控えに利用することができる。
【００４６】
請求項６の発明によれば、複写票を複数枚備えるので、必要なだけ複写することができる。
【００４７】
請求項７の発明によれば、複写控え票を複数枚備えるので、必要なだけ控えを取ることができる。
【００４８】
請求項８の発明によれば、封筒基材は、複写情報表示欄を有するので、封筒基材に情報が直接複写されても、情報が見やすい。
【００４９】
請求項９の発明によれば、複写基材は、複写基材情報書込欄を有するので、複写する情報が見やすい。
【００５０】
請求項１０の発明によれば、記入票は、複写用紙で作製されているので、記入された情報を複写することができる。
【００５１】
請求項１１の発明によれば、複写票は、複写票情報控え欄を有するので、複写する情報が見やすい。
【００５２】
請求項１２の発明によれば、複写票は、複写基材及び／又は剥離基材に貼付されているので、複写票は、複写基材を取り除く動作によって、同時に、取り除くことができる。
【図面の簡単な説明】
【図１】本発明による封筒用帳票の第１実施形態の各用紙を示す図である。
【図２】本発明による封筒用帳票の第１実施形態の断面図である。
【図３】本発明による封筒用帳票の第１実施形態の使用方法を示す図である。
【図４】本発明による封筒用帳票の第２実施形態の断面図である。
【図５】本発明による封筒用帳票の第３実施形態の各用紙を示す図である。
【図６】本発明による封筒用帳票の第４実施形態を示す断面図である。
【符号の説明】
１０、３０、４０、５０  封筒用帳票
１１、３１、５１  記入票
１１ａ、５１ａ  カーボンインキ層
１１ｂ  情報記入欄
１２、３２、３２−２  複写票
１２ａ、３２ａ、３２−２ａ、５２ａ  カーボンインキ層
１２ｂ  複写票情報控え欄
１３、３３、３３−２、５３  複写控え票
１４、３４、４４、５４  複写基材
１４ａ、３４ａ、４４ａ、５４ａ  複写層
４４ｂ  複写基材情報書込欄
１５、３５、４５、５５  剥離基材
１５ａ、３５ａ、４５ａ、５５ａ  剥離層
１６、３６、５６  複写情報表示票
１７、３７、４７、５７  封筒基材
１７ａ、４７ａ  第１封筒部
１７ｂ、４７ｂ  第２封筒部
１７ｃ、４７ｃ  折り畳み予定線
１７ｄ、３７ｄ、４７ｄ、５７ｄ  接着層
４７ｅ  複写情報表示欄
２０  封筒
【図１】
0004163277.tif 000002
【図２】
0004163277.tif 000003
【図３】
0004163277.tif 000004
【図４】
0004163277.tif 000005
【図５】
0004163277.tif 000006
【図６】
0004163277.tif 000007